(57)【要約】【課題】コストアップや大型化並びに使用者の前記通電経路の形成を防止しつつ、利便性の高い生体情報測定装置を提供する。【解決手段】筺体２の一端面にカバー３が装着可能に構成し、その一端面には、ＰＣとの間で、当該パルスオキシメータ１の測定動作で得られたデータを、ＵＳＢ（Universal Serial Bus）規格に基づいて通信するための雄型のＵＳＢ接続端子４を設置した。また、カバー３に嵌合孔３ｃを形成し、カバー３が筺体２に装着されたときには、前記ＵＳＢ接続端子４が前記嵌合孔３ｃを形成する壁面で覆われるようにして、筺体２にカバー３が装着された場合にはＰＣに接続不可能として、延いては、パルスオキシメータ１をＰＣに接続しながら測定動作を行うことを不可能とした。【選択図】図２
2007117641.tif 000002
【特許請求の範囲】
【請求項１】
所定の外部電子装置とデータ通信が可能とされた生体情報測定装置であって、
所定の生体情報を測定するための測定部と、
前記測定部の出力に基づき前記生体情報に係る生体データの導出処理を行う処理部と、
前記処理部により導出された生体データを記憶する記憶部とが筺体に備えられているとともに、
前記外部電子装置に備えられる通信用接続端子と接続可能に構成された通信用接続端子が前記筺体に一体的に設けられていることを特徴とする生体情報測定装置。
【請求項２】
前記外部電子装置は、当該生体情報測定装置から取得したデータに所定の処理を行うデータ処理装置からなることを特徴とする請求項１に記載の生体情報測定装置。
【請求項３】
前記筺体に対して着脱可能に構成され、前記筺体に装着されたときに前記通信用接続端子を覆うカバー部材と、
前記カバー部材が前記筺体に装着されているか否かを検出する検出部と、
前記検出部により前記カバー部材が前記筺体に装着されていると検出されている期間に、前記測定部及び前記処理部に動作を行わせる測定制御手段と、
前記検出部により前記カバー部材が前記筺体から取り外されていると検出されている期間に、前記記憶部に格納された生体データを前記外部電子装置に転送する転送手段と
を備えることを特徴とする請求項１または２に記載の生体情報測定装置。
【請求項４】
前記測定部、処理部及び記憶部に電力を供給する電源部が前記カバー部材に内蔵されており、
前記電源部から供給される電力を前記測定部、処理部及び記憶部に供給するべく、前記筺体への前記カバー部材の装着に伴って相互に接続する１対の電力供給用接続端子が前記カバー部材及び筺体に備えられており、
前記測定制御手段は、前記電源部から電力供給が開始されると、前記測定部及び前記処理部に動作を開始させることを特徴とする請求項３に記載の生体情報測定装置。
【請求項５】
前記転送手段は、当該生体情報測定装置が前記外部電子装置に前記通信用接続端子を介して接続されると、前記外部電子装置から前記通信用接続端子を介して供給される電力を電力源として、前記記憶部に格納された生体データを前記外部電子装置に転送する処理を行うことを特徴とする請求項３または４に記載の生体情報測定装置。
【請求項６】
前記筺体とカバー部材とは、所定の部材で連結されていることを特徴とする請求項３ないし５のいずれかに記載の生体情報測定装置。
【請求項７】
前記カバー部材は、前記通信用接続端子を覆う第１の位置と、前記通信用接続端子を外部に開放する第２の位置との間で回動可能に前記筺体の所定位置で支持されていることを特徴とする請求項３ないし６のいずれかに記載の生体情報測定装置。
【請求項８】
前記筺体は、当該生体情報測定装置が前記外部電子装置に接続されているときに、前記測定部による測定位置への生体の配置が実質的に不可能な形状に形成されていることを特徴とする請求項１に記載の生体情報測定装置。
【請求項９】
指の先端側が挿入される指挿入部の所定位置に前記測定部が設置されているとともに、前記通信用接続端子は、前記指挿入部に指を挿入したときに該指の根元側に設置されており、
当該生体情報測定装置を前記外部電子装置に接続したとき、前記指挿入部への指の挿入が実質的に不可能に構成されていることを特徴とする請求項１ないし８のいずれかに記載の生体情報測定装置。
【請求項１０】
前記通信用接続端子は、ＵＳＢ規格に基づく接続端子であることを特徴とする請求項１ないし９のいずれかに記載の生体情報測定装置。
【請求項１１】
請求項１ないし１０のいずれかに記載の生体情報測定装置は、血液中の酸素飽和度を測定するパルスオキシメータ、又は心臓の拍動に起因する脈波を測定する光電脈波計であることを特徴とする生体情報測定装置。
【発明の詳細な説明】
【技術分野】
【０００１】
本発明は、動脈血の酸素飽和度や脈拍数等の生体情報を測定する生体情報測定装置に関する。
【背景技術】
【０００２】
睡眠時無呼吸症候群（ＳＡＳ）やＣＯＰＤ（慢性閉塞性肺疾患）の検査において、パルスオキシメータと呼ばれる装置が使用されることがある（例えば下記特許文献１参照）。パルスオキシメータは、被験者の所定の生体部位に装着される測定部を有し、該測定部において前記生体部位に向けて光を出力し、生体部位を透過又は反射した光の光量に基づいて血中の酸素飽和度を導出するように構成されている。
【０００３】
図１８は、前記パルスオキシメータを含む従来の測定システムの構成を示す図である。
【０００４】
図１８に示すように、従来の測定システム３００は、前記測定部３０１と装置本体３０２とがケーブル３０３で接続されてなる前記パルスオキシメータ３０４と、予め所定のプログラムが組み込まれた例えばパーソナルコンピュータ（以下、ＰＣという）３０５とがインターフェースケーブル３０６により通信可能に構成されている。ＰＣ３０５は、導出された酸素飽和度の平均値のデータがパルスオキシメータ３０４から提供されると、前記プログラムにより、この平均値に基づいて例えば酸素飽和度の変化や単位時間当たりの酸素飽和度の低下の回数を表す指標（Oxygen Desaturation Index  ＯＤＩ）等、被験者の酸素飽和度についての解析を行う。
【特許文献１】特開平１−１５３１３９号公報
【発明の開示】
【発明が解決しようとする課題】
【０００５】
従来の測定システム３００にあっては、前述のようにパルスオキシメータ３０４で測定したデータをＰＣ３０５に送信する際には、パルスオキシメータ３０４とＰＣ３０５とをインターフェースケーブル３０６で接続する必要があるため、パルスオキシメータ３０４と該ケーブル３０６とをセットにして収納しておく必要があり、インターフェースケーブル３０６を紛失すると使用できなくなる。また、該ケーブル３０６をＰＣ３０５に接続しようとする際に該ケーブル３０６が絡まっている場合には、その絡まった該ケーブル３０６を解くなどの作業を必要な場合が生じたりする。
【０００６】
さらには、前記パルスオキシメータ３０４とＰＣ３０５とをインターフェースケーブル３０６で接続した状態で所定の生体部位に前記測定部３０１を装着した場合に、ＰＣ３０５内部の電子回路の破壊が発生すると、ＰＣ３０５から測定部３０１を介して使用者の生体部位に至る通電経路が形成される虞があることを想定して、パルスオキシメータ３０４とＰＣ３０５とを電気的に絶縁するべくフォトカプラ３０７を設置したり、或いは、パルスオキシメータ３０４をＰＣと接続する場合には、パルスオキシメータ３０４を生体から外すことを要求したりしていた。これにより、フォトカプラ３０７の設置に起因して測定システム３００のコストアップや大型化及び測定システム３００の利便性の低下を招いていた。
【０００７】
本発明は、上記事情に鑑みてなされたもので、コストアップや大型化並びに使用者の生体が通電経路を形成する状態が発生するのを防止しつつ、利便性の高い生体情報測定装置を提供することを目的とする。
【課題を解決するための手段】
【０００８】
請求項１に記載の発明は、所定の外部電子装置とデータ通信が可能とされた生体情報測定装置であって、所定の生体情報を測定するための測定部と、前記測定部の出力に基づき前記生体情報に係る生体データの導出処理を行う処理部と、前記処理部により導出された生体データを記憶する記憶部とが筺体に備えられているとともに、前記外部電子装置に備えられる通信用接続端子と接続可能に構成された通信用接続端子が前記筺体に一体的に設けられていることを特徴とするものである。
【０００９】
この発明によれば、外部電子装置に備えられる通信用接続端子と接続可能に構成された通信用接続端子を筺体に一体的に設けたので、従来のような生体情報測定装置と外部電子装置との通信可能に接続するケーブルが不要となる。
【００１０】
請求項２に記載の発明は、請求項１に記載の生体情報測定装置において、前記外部電子装置は、当該生体情報測定装置から取得したデータに所定の処理を行うデータ処理装置からなることを特徴とするものである。
【００１１】
この発明によれば、外部電子装置は、当該生体情報測定装置から取得したデータに所定の処理を行うデータ処理装置であるので、当該生体情報測定装置から取得したデータに所定の処理が前記外部電子装置により行われる。
【００１２】
請求項３に記載の発明は、請求項１または２に記載の生体情報測定装置において、前記筺体に対して着脱可能に構成され、前記筺体に装着されたときに前記通信用接続端子を覆うカバー部材と、前記カバー部材が前記筺体に装着されているか否かを検出する検出部と、前記検出部により前記カバー部材が前記筺体に装着されていると検出されている期間に、前記測定部及び前記処理部に動作を行わせる測定制御手段と、前記検出部により前記カバー部材が前記筺体から取り外されていると検出されている期間に、前記記憶部に格納された生体データを前記外部電子装置に転送する転送手段とを備えることを特徴とするものである。
【００１３】
この発明によれば、カバー部材が筺体に装着されている期間に、測定部及び処理部に動作を行わせ、カバー部材が前記筺体から取り外されている期間に、前記記憶部に格納された生体データを前記外部電子装置に転送するようにしたので、当該生体情報測定装置が外部電子装置に接続された状態で該生体情報測定装置を用いた測定動作が行われるのを禁止することができる。
【００１４】
請求項４に記載の発明は、請求項３に記載の生体情報測定装置において、前記測定部、処理部及び記憶部に電力を供給する電源部が前記カバー部材に内蔵されており、前記電源部から供給される電力を前記測定部、処理部及び記憶部に供給するべく、前記筺体への前記カバー部材の装着に伴って相互に接続する１対の電力供給用接続端子が前記カバー部材及び筺体に備えられており、前記測定制御手段は、前記電源部から電力供給が開始されると、前記測定部及び前記処理部に動作を開始させることを特徴とするものである。
【００１５】
この発明によれば、カバー部材に内蔵された電源部から筐体内の前記各部に電力供給が開始されると、前記測定部及び前記処理部に動作を開始させるようにしたので、測定動作が自動的に開始される。
【００１６】
請求項５に記載の発明は、請求項３または４に記載の生体情報測定装置において、前記転送手段は、当該生体情報測定装置が前記外部電子装置に前記通信用接続端子を介して接続されると、前記外部電子装置から前記通信用接続端子を介して供給される電力を電力源として、前記記憶部に格納された生体データを前記外部電子装置に転送する処理を行うことを特徴とするものである。
【００１７】
この発明によれば、生体情報測定装置が前記外部電子装置に前記通信用接続端子を介して接続されると、前記外部電子装置から前記通信用接続端子を介して供給される電力を電力源として、前記記憶部に格納された生体データを前記外部電子装置に転送する処理を行うようにしたので、生体情報測定装置を外部電子装置に接続するだけで、データの転送が自動的に行われる。
【００１８】
請求項６に記載の発明は、請求項３ないし５のいずれかに記載の生体情報測定装置において、前記筺体とカバー部材とは、所定の部材で連結されていることを特徴とするものである。
【００１９】
この発明によれば、前記筺体とカバー部材とを所定の部材で連結したので、カバー部材の紛失を防止することができる。
【００２０】
請求項７に記載の発明は、請求項３ないし６のいずれかに記載の生体情報測定装置において、前記カバー部材は、前記通信用接続端子を覆う第１の位置と、前記通信用接続端子を外部に開放する第２の位置との間で回動可能に前記筺体の所定位置で支持されていることを特徴とするものである。
【００２１】
この発明によれば、カバー部材を、前記通信用接続端子を覆う第１の位置と、前記通信用接続端子を外部に開放する第２の位置との間で回動可能に前記筺体の所定位置で支持するようにしたので、請求項６に記載の発明と同様、カバー部材の紛失を防止することができる。
【００２２】
請求項８に記載の発明は、請求項１に記載の生体情報測定装置において、前記筺体は、当該生体情報測定装置が前記外部電子装置に接続されているときに、前記測定部による測定位置への生体の配置が実質的に不可能な形状に形成されていることを特徴とするものである。
【００２３】
この発明によれば、前記筺体を、当該生体情報測定装置が前記外部電子装置に接続されているとき、前記測定部による測定位置への生体の配置が実質的に不可能な形状に形成したので、当該生体情報測定装置が外部電子装置に接続された状態で当該生体情報測定装置を用いた測定動作が行われるのを禁止することができる。
【００２４】
請求項９に記載の発明は、請求項１ないし８のいずれかに記載の生体情報測定装置において、指の先端側が挿入される指挿入部の所定位置に前記測定部が設置されているとともに、前記通信用接続端子は、前記指挿入部に指を挿入したときに該指の根元側に設置されており、当該生体情報測定装置を前記外部電子装置に接続したとき、前記指挿入部への指の挿入が実質的に不可能に構成されていることを特徴とするものである。
【００２５】
この発明によれば、指の先端側が挿入される指挿入部の所定位置に測定部を設置するとともに、前記通信用接続端子を、前記指挿入部に指を挿入したときに該指の根元側に設置し、当該生体情報測定装置を前記外部電子装置に接続したとき、前記指挿入部への指の挿入が実質的に不可能に構成したので、当該生体情報測定装置が外部電子装置に接続された状態で当該生体情報測定装置を用いた測定動作が行われるのを禁止することができる。
【００２６】
請求項１０に記載の発明は、請求項１ないし９のいずれかに記載の生体情報測定装置において、前記通信用接続端子は、ＵＳＢ規格に基づく接続端子であることを特徴とするものである。
【００２７】
この発明によれば、通信用接続端子は、ＵＳＢ規格に基づく接続端子であるので、生体情報測定装置と外部電子装置との間でＵＳＢ規格に基づくデータの通信処理が行われる。
【００２８】
請求項１１に記載の発明は、請求項１ないし１０のいずれかに記載の生体情報測定装置は、血液中の酸素飽和度を測定するパルスオキシメータ、又は心臓の拍動に起因する脈波を測定する光電脈波計であることを特徴とするものである。
【００２９】
この発明によれば、生体情報測定装置は、血液中の酸素飽和度を測定するパルスオキシメータ、又は心臓の拍動に起因する脈波を測定する光電脈波計であるので、前記パルスオキシメータ又は光電脈波計において、請求項１ないし１０のいずれかに記載の発明の作用が得られる。
【発明の効果】
【００３０】
請求項１に記載の発明によれば、従来のような生体情報測定装置と外部電子装置とを通信可能に接続するケーブルが不要となるため、使用者の行動範囲に制約が生じることが無くなるとともに、測定を開始する際に絡まったケーブルを解く作業や、生体情報測定装置を外部電子装置と接続する場合に生体情報測定装置を生体から外す作業が不要となる。また、ケーブルに足を引っ掛けてケーブルと外部電子装置とを接続する接続端子やケーブルと生体情報測定装置とを接続する接続端子を破壊する可能性も皆無となるとともに、生体情報測定装置と外部電子装置とを電気的に絶縁するためのフォトカプラを設置する必要もなくなる。これにより、コストアップや大型化を防止しつつ、利便性の高い生体情報測定装置を実現することができる。
【００３１】
請求項２に記載の発明によれば、生体情報測定装置で取得したデータに対して所定の処理を施したデータが得られるため、前記生体情報の分析を行うことができる。
【００３２】
請求項３，８，９に記載の発明によれば、当該生体情報測定装置が外部電子装置に接続された状態で当該生体情報測定装置を用いた測定動作が行われるのを禁止するようにしたので、外部電子装置、生体情報測定装置及び該生体情報測定装置が装着された生体部位により通電経路が形成された状態（生体情報測定装置が充電状態となり得る状態）での該生体情報測定装置の使用を確実に防止することができる。
【００３３】
請求項４に記載の発明によれば、測定動作が自動的に開始されるようにしたので、生体情報測定装置の利便性をより一層向上することができる。
【００３４】
請求項５に記載の発明によれば、生体情報測定装置を外部電子装置に接続するだけでデータの転送が自動的に行われるようにしたので、生体情報測定装置の利便性をより一層向上することができる。
【００３５】
請求項６，７に記載の発明によれば、前記筺体とカバー部材とを所定の部材で連結したり、カバー部材を、前記通信用接続端子を覆う第１の位置と、前記通信用接続端子を外部に開放する第２の位置との間で回動可能に前記筺体の所定位置で支持するようにしたりしたので、カバー部材の紛失を防止することができる。
【００３６】
請求項１０に記載の発明によれば、生体情報測定装置と外部電子装置との間でＵＳＢ規格に基づくデータの通信処理を行わせることができる。
【００３７】
請求項１１に記載の発明によれば、請求項１ないし１０のいずれかに記載の発明の効果を有するパルスオキシメータ又は光電脈波計を実現することができる。
【発明を実施するための最良の形態】
【００３８】
本発明に係る生体情報測定装置の実施形態について説明する。図１は、本発明に係る生体情報測定装置の一例であるパルスオキシメータの構成を示す正面図、図２は、図１の矢印Ａの方向から見た側面図である。
【００３９】
パルスオキシメータ１は、生体部位を透過又は反射した光の光量に基づいて血中の酸素飽和度を導出するものであり、本実施形態では、指（指尖）を測定部位として構成されたものである。図１、図２に示すように、パルスオキシメータ１は、略直方形状の筺体２と、該筺体２に対して着脱可能に構成されたカバー３とを有して構成されている。なお、図１、図２は、それぞれカバー３が筺体２に装着された状態を示している。
【００４０】
筺体２は、一端面にカバー３が装着可能に構成されており、また、その一端面には、ＵＳＢ１．１やＵＳＢ２．０のＵＳＢ（Universal Serial Bus）規格の通信を行うための雄型のＵＳＢ接続端子４が設置されている。このＵＳＢ接続端子４を、パーソナルコンピュータ（以下、ＰＣという  図３参照）５に設けられた雌型のＵＳＢ接続端子（図示せず）に嵌合（接続）することにより、後述するように、当該パルスオキシメータ１の測定動作で得られたデータを、前記ＵＳＢ規格に基づいてＰＣ５に転送（送信）することができるようになっている。ＵＳＢ接続端子４は、前記通信用接続端子に相当するものである。
【００４１】
カバー３は、人間の指が挿入可能な程度の間隙Ｘを有して対向する対向部位３ａ、３ｂを備えた断面Ｕ字形状を有しており、一方の対向部位３ａの適所に投光部６が、他方の対向部位３ｂに受光部７が対向状態でカバー３に内蔵されている。カバー３は、前記カバー部材の一例である。
【００４２】
投光部６は、例えば、赤色領域の波長λ１の赤色光Ｒを発光する発光ダイオード（ＬＥＤ）と、赤外線領域の波長λ２の赤外光ＩＲとを発光するＬＥＤとを備えた光源である。
【００４３】
受光部７は、受光した光の強度に応じた大きさの電流を生成する、例えばシリコンフォトダイオード（Silicon Photo Diode）等の光電変換素子を備えて構成されており、本実施形態では、少なくとも波長λ１の光と波長λ２の光とに対して感度を有する。受光部７は、指（指尖）を透過した投光部６からの波長λ１，λ２の光を受光する。投光部６及び受光部７は、前記測定部を構成するものである。
【００４４】
また、対向部位３ｂにおける端部には、前記ＵＳＢ接続端子４が嵌合する嵌合孔３ｃが形成されており、カバー３が筺体２に装着されたときには、前記ＵＳＢ接続端子４が前記嵌合孔３ｃを形成する壁面で覆われるようになっている。よって、本実施形態のパルスオキシメータ１は、筺体２にカバー３が装着された場合にはＰＣ５（図３参照）に接続不可能となり、延いては、パルスオキシメータ１をＰＣ５に接続しながら測定動作を行うことが不可能となっている。これにより、ＰＣ５内部の回路破損等が発生した際に、ＰＣ５の電源電圧が投光部６及び受光部７を介して指先に至る通電経路が形成されるのを未然に防止することができる。
【００４５】
図３は、パルスオキシメータ１の電気的な構成を示すブロック図である。
【００４６】
図３に示すように、パルスオキシメータ１は、投光部６及び受光部７、電源部８、Ｉ／Ｖ変換部１１、Ａ／Ｄ変換部１２、制御部１３及び表示部２０を備える。
【００４７】
投光部６及び受光部７は、図２に示す投光部６及び受光部７に対応するものであり、前述したようにカバー３の対向部位３ａ、３ｂに内蔵されている。
【００４８】
電源部８は、投光部６、受光部７及び筺体２内の各部（Ｉ／Ｖ変換部１１、Ａ／Ｄ変換部１２、制御部１３、表示部２０）に電力を供給するためのものであり、カバー３に内蔵されている。電源部８は、前記電源部に相当するものである。
【００４９】
電源供給用接続部９は、電源部８から筺体２内の前記各部への電力を供給可能とするべく電源部８と前記各部とを接続するものであり、筺体２及びカバー３に夫々備えられた一対の電源用接続端子からなる。両接続端子は、筺体２へのカバー３の装着に伴って、相互に嵌合（接続）されるようになっており、電源部８から筺体２内のＩ／Ｖ変換部１１等の各部への電力供給が行われる。前記電源用接続端子は、前記電力供給用接続端子に相当するものである。
【００５０】
このように、本実施形態のパルスオキシメータ１は、電源部８がカバー３に内蔵されているので、カバー３が筺体２に装着されたときに、前記筺体２内の各部が動作する。したがって、酸素飽和度の測定動作は、カバー３が筺体２に装着され、電源部８により各部へ電力供給動作が開始された場合にのみ実行される。なお、パルスオキシメータ１の前記各部は、パルスオキシメータ１がＰＣ５に接続された場合には、ＵＳＢ接続端子４を介してＰＣ５から電力供給を受ける。
【００５１】
通信接続部１０は、カバー３の受光部７と筺体２内のＩ／Ｖ変換部１１とを通信可能に接続するものであり、カバー３及び筐体２にそれぞれ設けられた一対の接続端子を備えてなる。両接続端子は、筺体２へのカバー３の装着に伴って相互に接続されるようになっており、受光部７の受光信号（電流信号）が前記通信接続部１０を介して筺体２内のＩ／Ｖ変換部１１に送信される。
【００５２】
Ｉ／Ｖ変換部１１は、所定の周期で受光部７から出力される電流信号を電圧信号に変換し、この電圧信号を光電脈波信号としてＡ／Ｄ変換部１２に出力するものである。Ａ／Ｄ変換部１２は、Ｉ／Ｖ変換部１１から出力されたアナログの光電脈波信号をデジタルの光電脈波信号に変換し、このデジタルの光電脈波信号を制御部１３に出力するものである。
【００５３】
制御部１３は、マイクロプロセッサやＤＳＰ（Digital Signal Processor）などを備えて構成されており、記憶部１８に格納されているデータやプログラムに従って、入力された光電脈波信号から動脈血中の酸素飽和度を演算するものである。
【００５４】
また、制御部１３は、機能的に、測定制御部１４と、酸素飽和度演算部１５と、転送処理部１６と、表示制御部１７と、記憶部１８とを有する。制御部１３は、前記処理部を構成するものである。
【００５５】
測定制御部１４は、筺体２へのカバー３の装着状態に対応する電源部８からの電力供給の有無に応じて、投光部６及び受光部７の動作を制御するものであり、電源部８から電力の供給が開始されると、投光部６及び受光部７の動作を開始させ、電源部８から電力供給が停止されると、投光部６及び受光部７の動作を停止させる。測定制御部１４は、前記測定制御手段に相当するものであるとともに、前記検出部の一例である。
【００５６】
酸素飽和度演算部１５は、受光部７の受光光量に基づき、被験者の血中酸素飽和度を算出するものである。酸素は、血液中のヘモグロビンの酸化・還元によって運搬されている。このヘモグロビンは、酸化されると赤色光の吸収が減少して赤外光の吸収が増加し、逆に還元されると赤色光の吸収が増加して赤外光の吸収が減少するという光学的特性を有している。酸素飽和度演算部１５は、この特性を利用して、受光部７で受光された赤色光及び赤外光の透過光量の変動を計測することで、血中酸素飽和度（動脈血酸素飽和度）を求める。
【００５７】
ここで、酸素飽和度演算部１５による光を用いた血中酸素飽和度を導出する原理について説明する。
【００５８】
酸素は、血中のヘモグロビン（Ｈｂ）によって生体の各細胞に運搬され、ヘモグロビンは、肺で酸素と結合して酸化ヘモグロビン（ＨｂＯ２）となり、生体の細胞で酸素が消費されるとヘモグロビンに戻る。酸素飽和度ＳｐＯ２は、血中の酸化ヘモグロビンの割合をいい、ヘモグロビン濃度をＣＨｂ、酸化ヘモグロビン濃度をＣＨｂＯ２と表すと、下記数１で表される。
【００５９】
【数１】
2007117641.tif 000003
【００６０】
一方、ヘモグロビンの吸光度及び酸化ヘモグロビンの吸光度は、波長依存性を有しており、各吸光係数α（λ）は、図４に示すような吸光特性を有する。なお、図４の横軸は光の波長であり、単位はｎｍ、縦軸は、吸光係数であり、単位は１０−９ｃｍ２／ｍｏｌｅである。
【００６１】
図４に示すように、ヘモグロビン及び酸化ヘモグロビンは、吸光特性が異なる。ヘモグロビンは、赤色領域の波長λ１の赤色光Ｒに対して酸化ヘモグロビンよりも光を多く吸収するが、赤外線領域の波長λ２を超える赤外光ＩＲに対しては酸化ヘモグロビンよりも光の吸収が少ない。すなわち、例えば赤外光Ｒの波長を酸化ヘモグロビンとヘモグロビンとの吸光係数差が最も大きい６６０ｎｍとし、赤外光ＩＲの波長を酸化ヘモグロビンとヘモグロビンとの吸光係数が等しい８１５ｎｍとすると、酸化ヘモグロビンとヘモグロビンとの比率が変化しても赤外光ＩＲの透過光量は変化しないこととなる。一方、赤色光Ｒの透過光量はヘモグロビンが多いと小さくなり、酸化ヘモグロビンが多いと大きくなる。つまり、透過光量の比をとれば酸素飽和度を求めることができる。
【００６２】
パルスオキシメータ１は、このようなヘモグロビンと酸化ヘモグロビンとの赤色光Ｒと赤外光ＩＲとに対する吸光特性の違いを利用して血中酸素飽和度を求めるものである。なお、ヘモグロビンと酸化ヘモグロビンとの赤色光Ｒと赤外光ＩＲとに対する吸光特性の違いを利用して脈拍数も求めることができる。
【００６３】
生体に光を照射すると、光の一部は吸収され、残りは透過する。生体は、動脈血層と、静脈血層と、動脈血層及び静脈血層以外の組織とで構成されている。生体における光の吸収は、図５（ａ）に示すように、動脈血層及び静脈血層以外の組織による吸収、静脈血層による吸収及び動脈血層による吸収より成る。動脈血層及び静脈血層以外の組織と静脈血層とは経時的に変化しないため、この部分での光の吸収は略一定である。
【００６４】
一方、動脈血層は心拍動によって径が変化し、血管の径が変化するため、動脈血層による光の吸収は、図５（ｂ）に示すように脈拍による経時的に変動する。つまり、透過光強度の変化分は、動脈血のみの情報によるものであって、動脈血層及び静脈血層以外の組織と静脈血層とによる影響はほとんど含まれないと考えられる。図５（ｂ）において、横軸は時間、縦軸は透過光強度である。
【００６５】
赤色光Ｒ及び赤外光ＩＲの光量変化を比較する場合、入射光量の差をキャンセルする必要がある。図６は、生体に入射する入射光と透過光との関係を模式的に示す図である。
【００６６】
生体への入射光量Ｉ０を赤色光Ｒと赤外光ＩＲとで同一にすることは実質的に困難であり、仮に同一にしても組織や静脈血による吸光率は赤色光Ｒと赤外光ＩＲとで異なるため、動脈血層による透過光強度の変化分のみを比較することはできない。
【００６７】
ここで、図６（ａ）に示すように、動脈が一番細い場合（透過光量が最も大きくなる場合）の透過光量をＩとし、動脈が最も太い場合（透過光量が最も小さくなる場合）の透過光量を（Ｉ−ΔＩ）とする。図６（ｂ），（ｃ）に示すように、厚さΔＤの動脈血に光量Ｉの光を照射したとき、透過光量（Ｉ−ΔＩ）の透過光が得られると考えられる。
【００６８】
そして、図７に示すように、赤色光Ｒの透過光量ＩＲと赤外光ＩＲの透過光量ＩＩＲとが一致するように正規化する（ＩＩＲ’＝ＩＲ）ことにより、動脈血による光量変化の比（ΔＩＲ／ＩＲ）／（ΔＩＩＲ／ＩＩＲ）を算出し、酸素飽和度を算出する。
【００６９】
入射光と反射光との関係は、ランバート・ビアの法則により、下記数２で表すことができる。
【００７０】
【数２】
2007117641.tif 000004
【００７１】
なお、Ｅは吸光物の吸光係数、Ｃは吸光物の濃度を表す。
【００７２】
赤色光Ｒ及び赤外光ＩＲの各波長を前記数２に代入し、各辺の比をとることにより、下記数３式を得ることができる。
【００７３】
【数３】
2007117641.tif 000005
【００７４】
なお、ＩＲは、赤色光Ｒの透過光量、ＩＩＲは、赤外光ＩＲの透過光量、ＥＲは、赤色光Ｒの吸光係数、ＥＩＲは、赤外光ＩＲの吸光係数を表す。
【００７５】
図８は、例えば赤色光Ｒ及び赤外光ＩＲの各波長を、それぞれ６６０ｎｍ及び８１５ｎｍとしたときにおける、吸光係数の比（ＥＲ／ＥＩＲ）と酸素飽和度ＳｐＯ２との関係を示すグラフである。図８に示すように、酸素飽和度ＳｐＯ２は、吸光係数の比（ＥＲ／ＥＩＲ）の低下に比例して増大していく。なお、酸素飽和度演算部１５は、受光部７の受光光量に基づき、被験者の脈拍数も演算する。
【００７６】
図３に戻り、転送処理部１６は、筺体２に設けられた図１、図２に示すＵＳＢ接続端子４と、ＰＣ５に設けられた図略のＵＳＢ接続端子とが接続されると、記憶部１８に格納されているデータをＰＣ５に転送する処理を行うものである。転送処理部１６は、前記転送手段に相当するものである。
【００７７】
表示制御部１７は、酸素飽和度演算部１５により算出された結果を表示部２０に表示させるものである。
【００７８】
記憶部１８は、例えばＥＥＰＲＯＭ（Electrically Erasable and Programmable Read Only Memory）等からなり、前述のデータやプログラムの他に、酸素飽和度演算部１５により算出された酸素飽和度を一時的に記憶したり、測定期間における脈拍数に係るデータを記憶したりする。記憶部１８は、前記記憶部に相当するものである。
【００７９】
ＵＳＢ接続部１９は、筺体２内の制御部１３とＰＣ５とをＵＳＢ規格に基づく通信が可能となるように接続するものであり、筺体２に設けられた図１、図２に示す前記ＵＳＢ接続端子４とＰＣに設けられた図略のＵＳＢ接続端子とからなる。表示部２０は、例えばＬＣＤ（Liquid Crystal Display）等からなり、酸素飽和度演算部１５により算出された結果を表示するものである。
【００８０】
図９は、パルスオキシメータ１の使用状況に応じた動作を示すフローチャートである。
【００８１】
図９に示すように、制御部１３は、カバー３の電源部８から電力供給が行われたか否かを判断し（ステップ♯１）、電力供給が行われると（ステップ♯１でＹＥＳ）、投光部６及び受光部７に測定動作を実行させる（ステップ♯２）。
【００８２】
一方、電源部８から電力供給が行われていない場合には（ステップ♯１でＮＯ）、制御部１３は、パルスオキシメータ１がＰＣ５に接続されたか否かを判断する（ステップ♯３）。その結果、制御部１３は、パルスオキシメータ１がＰＣ５に接続されていない場合には（ステップ♯３でＮＯ）、ステップ♯１の処理に戻る一方、パルスオキシメータ１がＰＣ５に接続された場合には（ステップ♯３でＹＥＳ）、記憶部１８に格納されているデータをＰＣ５に転送し（ステップ♯４）、データの転送処理が完了すると（ステップ♯５でＹＥＳ）、ステップ♯１の処理に戻る。
【００８３】
以上のように、パルスオキシメータ１の筺体２に、データをＰＣ５に転送するためのＵＳＢ接続端子４を備えたので、従来のようにインターフェースケーブルを備えるパルスオキシメータに比して、使用者の行動範囲に制約が生じることが無くなりパルスオキシメータ１の携帯性が増し、且つ、パルスオキシメータ１をＰＣ５に接続するだけでデータの転送を行えることから、利便性の高いパルスオキシメータを実現することができる。
【００８４】
さらに、従来のようなインターフェースケーブルが不要となるため、測定を開始する際に絡まったケーブルを解く作業や、パルスオキシメータ１をＰＣ５と接続する場合に該パルスオキシメータ１を指からとり外す作業が不要となる。また、ケーブルに足を引っ掛けてケーブルとＰＣ５とを接続する接続端子やケーブルとパルスオキシメータ１とを接続する接続端子を破壊する可能性も皆無となるとともに、測定時にＰＣ５との接続を不可能とする構造を有することから、パルスオキシメータ１とＰＣ５とを電気的に絶縁するためのフォトカプラを設置する必要もなくなる。これにより、コストアップや大型化を抑制しながら、パルスオキシメータ１の利便性を向上することができる。
【００８５】
また、酸素飽和度の測定を行う際には筺体２へのカバー３の装着を必要とする構成とすることにより、カバー３を筺体２に装着したときにはＵＳＢ接続端子４を覆ってパルスオキシメータ１をＰＣ５に接続不可能とし、パルスオキシメータ１をＰＣ５に接続する場合には、カバー３を筺体２から取り外す必要がある構成としたので、ＰＣ５内部の回路破損等が発生した際に、ＰＣ５の電源電圧が投光部６及び受光部７を介して指先に至る通電経路が形成され、その状態でパルスオキシメータ１が使用されるのを未然に且つ確実に防止することができる。
【００８６】
また、カバー３に電源部８を搭載し、カバー３が筺体２に装着されると前記電源部８により電力の供給が開始されるようにするとともに、電力供給の開始に伴って酸素飽和度の測定動作を自動的に開始するようにしたので、パルスオキシメータ１の利便性をより一層向上することができるとともに、測定開始スイッチを別途設ける必要が無く、その分コストダウンを図ることができる。
【００８７】
本件は、前記実施形態に加えて、あるいは前記実施形態に代えて次の形態［１］〜［５］に説明する変形形態も含むものである。
【００８８】
［１］パルスオキシメータの機械的構成は、図１、図２に示すものに限らず、例えば次のような構成も採用可能である。
【００８９】
図１０は、パルスオキシメータの第２の実施形態の構成を示す一部破断した内部構成図、図１１は、図１０における矢印Ｂの方向からみた側面図である。
【００９０】
図１０、図１１に示すように、パルスオキシメータ１００は、略直方形状の筺体１０１と、該筺体１０１に対して着脱可能に構成されたカバー１０２とを有して構成されている。筺体１０１は、一端面にカバー１０２が装着可能に構成されており、また、該一端面には、前記第１の実施形態と同様の雄型のＵＳＢ接続端子１０３が設置されている。また、該ＵＳＢ接続端子１０３の設置面における適所には、後述するカバー１０２に設けられたピン１２１が嵌合する嵌合孔１０４が形成されている。
【００９１】
筺体１０１には、第１、第２回動部材１０６、１０７を備えてなるロック機構１０５が内蔵されている。第１回動部材１０６は、長尺状の第１の部位１０８と、該第１の部位１０８に直交する第２の部位１０９と、該第２の部位１０９に直交し、且つ第２の部位１０９から第１の部位１０８と同方向に略平行に延びる第３の部位１１０とを有して構成されており、第１の部位１０８と第２の部位１０９とが交差する部位においてヒンジ１１１により回動自在に支持されている。
【００９２】
第２の部位１０９には、一端部が筺体１０１の所定位置に固定されたバネ等の付勢部材１１２の他端部が収縮状態で連結されており、該第２の部位１０９は、ヒンジ１１１の位置を中心として時計回りの方向（図１０の下側）に付勢されている。一方、前記付勢部材１１２の付勢による第２の部位１０９の回動を所定位置で規制するための規制ピン１１３が備えられている。
【００９３】
第２の部位１０９の移動が前記規制ピン１１３で規制されているとき、第１の部位１０８がＵＳＢ接続端子１０３の設置面に略平行な姿勢となり且つ前記嵌合孔１０４に対向するようになっている。また、この状態においては、嵌合孔１０４から第１の部位１０８までの距離が、カバー１０２に設けられたピン１２１の長さより短くなっており、カバー１０２が筺体１０１に装着されたときには、前記ピン１２１の先端が第１の部位１０８に当接し、図１２に示すように、前記付勢部材１１２の付勢力に抗し、前記ヒンジ１１１の位置を中心として第１回動部材１０６を反時計回りに所定角度だけ回動させる。また、筺体１０１からカバー１０２が取り外されると、第１回動部材１０６は、付勢部材１１２の付勢力により時計回りに回動し、図１０に示す姿勢（以下、非回動姿勢という）となる。
【００９４】
第３の部位１１０は、第１の部位１０８より短尺とされており、先端のうち第１の部位１０８から遠い側の面１１０ａは、先端が先細りとなるようなテーパ面とされている。後述するように、この先端は、第２回動部材１０７に形成された係合孔１１４ａ（図１２参照）と係合可能に構成されている。
【００９５】
第２回動部材１０７は、前記第１回動部材１０６における第３の部位１１０の先端と係合可能な係合孔１１４ａ（図１２参照）を有する第１の部位１１４と、該第１の部位１１４と略直交する方向に延びる第２の部位１１５とを有する略Ｌ字形状の部材であり、第１の部位１１４と第２の部位１１５とが交差する部位においてヒンジ１１６により回動自在に支持されている。
【００９６】
また、第２回動部材１０７の第１の部位１１４には、一端が所定位置に固定されたバネ等の付勢部材１１７の他端部が収縮状態で連結されており、第１の部位１１４は、ヒンジ１１６の位置を中心とする反時計回りの方向（図１０の左側）に付勢されている。
【００９７】
第２回動部材１０７の第１の部位１１４と、前記第１回動部材１０６における第３の部位１１０の先端とが係合しているときには、第２回動部材１０７の回動は規制され、図１０に示す姿勢（以下、非回動姿勢という）にロックされる一方、前記係合が解除されると、第２回動部材１０７の回動が許容される。
【００９８】
筺体１０１の所定位置には投光部１１８が設置されている一方、第２回動部材１０７の所定位置には受光部１１９が内蔵されており、第２回動部材１０７が非回動姿勢のときには、前記投光部１１８と受光部１１９とが対向する。この投光部１１８及び受光部１１９は、第１の実施形態における投光部６及び受光部７と略同様の機能を有するものであり、酸素飽和度を測定するためのものである。
【００９９】
図１１に示すように、筺体１０１のＵＳＢ接続端子１０３の設置面と反対側の面において、筺体１０１と第２回動部材１０７との間には、略楕円形状の間隙Ｈが設けられている。この間隙Ｈの高さＲは、一般的な使用者の指の厚み（爪の表面と該指の腹の表面との長さ）Ｌ（図１３参照）より短い長さに設定されており、図１３に示すように、前記第２回動部材１０７の回動のロックが解除されている場合に該間隙Ｈに指が挿入されると、第２回動部材１０７は、指から押圧力を受けて前記ヒンジ１１６を中心として矢印Ｃの方向（時計回りの方向）に回動する。なお、指を前記間隙Ｈから抜くと、第２回動部材１０７は指から押圧力を受けなくなるため、前記付勢部材１１７による付勢力により反時計回りに回動し、図１０に示す非回動姿勢となる。
【０１００】
ところで、第２回動部材１０７が図１０に示す非回動姿勢のときには、投光部１１８から出力される光は途中で吸収作用をほとんど受けることが無いため、該光の大部分が受光部１１９に到達する一方、第２回動部材１０７が図１３に示す回動姿勢のとき（前記間隙Ｈに指が挿入されたとき）には、投光部１１８から出力される光は挿入された指を通る血液により吸収作用を受ける。
【０１０１】
このことを用いて、本実施形態のパルスオキシメータ１００は、受光部１１９の受光量に応じて筺体１０１へのカバー１０２の装着状態を判断する判断部（図示せず）を設け、受光部１１９の受光量が或る閾値より大きいときには、筺体１０１にカバー１０２が装着されているもの（前記間隙Ｈに指が挿入されていないもの）と判断して酸素飽和度の測定を実行せず、受光部１１９の受光量が前記閾値より小さいときには、筺体１０１からカバー１０２が取り外されているもの（前記間隙Ｈに指が挿入されたもの）と判断して酸素飽和度の測定を実行するように構成されている。なお、前記判断部は、前記検出部を構成するものである。
【０１０２】
カバー１０２は、筺体１０１の前記接続端子１０３が設置された端面に対して着脱可能に構成されており、嵌合孔１２０と、ピン１２１とを備える。
【０１０３】
嵌合孔１２０は、前記第１の実施形態におけるカバー１０２の嵌合孔３ｃと同様の機能を有するものであり、嵌合孔１２０を構成する壁面は、カバー１０２が筺体１０１に装着されたときに前記接続端子１０３を覆う。
【０１０４】
ピン１２１は、カバー１０２が筺体１０１に適正に装着される際に、筺体１０１に形成された嵌合孔１０４に嵌入する長尺状の部位であり、前述したように、第１回動部材１０６の第１の部位１０８を押圧することで、第１回動部材１０６を反時計回りに回動させる。
【０１０５】
なお、筺体１０１とカバー１０２との間には、カバー１０２の装着状態を維持するためのロック機構１２２が構成されている。ロック機構１２２は、カバー１０２に形成された係合部１２３と、筺体１０１に形成された係合凹部１２４とを備えて構成されている。係合部１２３は、カバー１０２の両端部において延設された突起状の部位であり、その先端は、所定量だけ拡幅化されている。係合凹部１２４は、筺体１０１の両端部において前記係合部１２３に対応する形状に形成されており、カバー１０２が筺体１０１に装着されるときに、前記係合部１２３の先端が嵌り込む。
【０１０６】
これにより、カバー１０２が筺体１０１から離間する方向に引っ張られる場合において、所定の引っ張り力までの範囲では、カバー１０２が筺体１０１から抜けないようになっており、或る程度の抜け止めを防止（ロック）することができる。ただし、前記引っ張り力が前記所定の引っ張り力を超える、使用者が意図的にカバー１０２を取り外すと考えられる状況では、係合部１２３が前記係合凹部１２４に隣接する段差を乗り越えてロックが解除されるようになっている。
【０１０７】
このような構成を有するパルスオキシメータ１００においては、該パルスオキシメータ１００がＰＣ５に接続されるときには、カバー１０２が筺体１０１から取り外される。これにより、第１回動部材１０６は、カバー１０２のピン１２１から押圧力を受けず、図１０に示す非回動姿勢となるから、第２回動部材１０７は図１０に示す非回動姿勢にロックされ、前記間隙Ｈへの指の挿入が禁止される。
【０１０８】
一方、酸素飽和度の測定を行うときには、カバー１０２が筺体１０１に装着される。これにより、第１回動部材１０６は、カバー１０２のピン１２１から押圧力を受けて、付勢部材１１２の付勢力に抗して矢印Ｄの方向（反時計回りの方向）に回動し、第２回動部材１０７に対するロックが解除される。したがって、前記間隙Ｈへの指の挿入禁止が解除される。
【０１０９】
そして、この状態で該間隙Ｈに指が挿入されると、第２回動部材１０７は、指から押圧力を受け、付勢部材１１７の付勢力に抗して前記ヒンジ１１６を中心として矢印Ｃの方向（時計回りの方向）に回動する。その後、指を前記間隙Ｈから抜くと、第２回動部材１０７は指から押圧力を受けなくなるため、前記付勢部材１１７による付勢力により反時計回りに回動し、図１０に示す非回動姿勢となる。
【０１１０】
以上のような構成のパルスオキシメータ１００によっても、前記第１の実施形態と同様、パルスオキシメータ１００の筺体１０１に、データをＰＣ５に転送するためのＵＳＢ接続端子１０３を備えたので、従来のようにインターフェースケーブルを備えるパルスオキシメータに比して、パルスオキシメータ１００の携帯性が増し、且つ、パルスオキシメータ１００をＰＣ５に接続するだけでデータの転送を行えることから、利便性の高いパルスオキシメータを実現することができる。
【０１１１】
さらに、従来のようなインターフェースケーブルが不要となることにより、前記第１の実施形態と同様の効果も得られる。
【０１１２】
また、酸素飽和度の測定を行う（指を挿入する）際には、筺体１０１へのカバー１０２の装着を必要とする構成とすることにより、カバー１０２を筺体１０１に装着したときにはＵＳＢ接続端子１０３を覆ってパルスオキシメータ１００をＰＣ５に接続不可能とし、パルスオキシメータ１００をＰＣ５に接続する場合には、カバー１０２を筺体１０１から取り外さなければ前記間隙Ｈに指を挿入できない構成としたので、ＰＣ５内の電子回路等の破壊に起因する前記通電経路の形成を未然に且つ確実に防止することができる。
【０１１３】
［２］前記第１の実施形態では、筺体２のうちカバー３の装着面にＵＳＢ接続端子４を設置し、測定時にカバー３の装着によって該ＵＳＢ接続端子４がカバー３によって覆われることで物理的にパルスオキシメータ１をＰＣ５に接続できないようにして、前記通電経路の形成を防止するようにしたが、この形態に限らず、パルスオキシメータ１をＰＣ５に接続したときに、生体（指）が投光部６及び受光部７による測定位置に届かないように、パルスオキシメータ１の全体的な形状を工夫するようにしても、前記通電経路の形成を未然に防止することができる。
【０１１４】
例えば図１４に示すように、筐体２’におけるカバー３の装着面と反対側の端面、すなわち指を該パルスオキシメータ１’に挿入した場合に該指の根元側に位置する端面にＵＳＢ接続端子４’を設置する構成であっても、指の挿入方向における筺体２’の長さを比較的短尺に形成することにより、図１５に示すように、人間の手や指の構成上、パルスオキシメータ１’がＰＣ５に接続されているとき、ＰＣ５のＵＳＢ接続端子４’が設置されている側面５ａとパルスオキシメータ１’との間に形成される間隙Ｙに指が挿入できなくなる（投光部６及び受光部７による測定部位に指を配置できなくなる）。その結果、パルスオキシメータ１’がＰＣ５に接続された状態で、該パルスオキシメータ１’による酸素飽和度の測定を行うことが不可能となるから、電子回路等の破壊に起因する前記通電経路の形成を未然に且つ確実に防止することができる。
【０１１５】
なお、図１４に示すパルスオキシメータ１’は、前記ＵＳＢ接続端子４’を覆うカバー２１が筺体２’に対して着脱可能に備えられているとともに、ＵＳＢ接続端子４’の装着面と反対側の面に対して着脱可能なカバー３’が備えられている。
【０１１６】
図１４，図１５に示す構成の他に、人間の手や指の構成や特徴を利用して指が物理的に投光部６及び受光部７による測定位置に届かないようにして前記通電経路の形成を防止するという目的のもとでは、パルスオキシメータを、必ずしも筺体２’とカバー３とに別体化する必要は無く、図１６、図１７に示すように一体化されたものでもよい。
【０１１７】
図１６は、本実施形態に係るパルスオキシメータ２００の外観斜視図、図１７は、断面図である。図１６、図１７に示すように、本実施形態のパルスオキシメータ２００は、直方体形状の基部２０１と、該基部２０１の一端側に形成されたトンネル状の指挿入部２０２とを有し、該指挿入部２０２に指を挿入することで、酸素飽和度の測定を行うことができるものである。
【０１１８】
パルスオキシメータ２００には、基部２０１の前記指挿入部２０２と反対側に位置する端面に、前記第１の実施形態と同様のＵＳＢ接続端子２０３が設置されており、また、前記ＵＳＢ接続端子２０３を覆うカバー２０４が基部２０１に対して着脱可能に備えられている。
【０１１９】
このような構成を有するパルスオキシメータ２００において、基部２０１の長さ（指を挿入する方向の長さ）を比較的短尺とすることにより、前記変形形態［２］と同様、ＰＣ５への接続時に、ＰＣ５のＵＳＢ接続端子２０３が設置されている側面とパルスオキシメータ２００との間に形成される間隙Ｚに指が挿入できなくなるため、ＰＣ５内の電子回路等の破壊に起因する前記通電経路の形成を未然に且つ確実に防止することができる。
【０１２０】
なお、この図１７では、酸素飽和度の測定を行うためのものとして、前記第１の実施形態のように、対向配置された投光部と受光部との間に指が挿入され、透過光に基づいて酸素飽和度の測定を行う光透過型の測定機構ではなく、投光部２０５と受光部２０６とが隣接して配置され、指からの反射光に基づいて酸素飽和度の測定を行う光反射型の測定機構２０７を採用したものを示している。
【０１２１】
［３］前記第１の実施形態や変形形態［１］、［２］では、カバーと筺体とを別体としたが、カバーの紛失を防止するために、例えば、筺体とカバーとを所定の紐で連結したり、或いは、カバーを筺体の所定位置で回動自在にヒンジで結合したりするようにしてもよい。
【０１２２】
［４］生体情報測定装置の一例としてのパルスオキシメータに本発明を採用した構成を前記各実施形態として説明したが、本発明は、パルスオキシメータに限らず、心臓の拍動に起因する脈波を測定する光電脈波計にも採用可能である。
【０１２３】
［５］前記第１の実施形態では、外部電子装置の一例としてＰＣ５を例示したが、これに限らず、プリンタや外部ディスプレイ等、データ処理を行わない機器でもよい。
【図面の簡単な説明】
【０１２４】
【図１】本発明に係る生体情報測定装置の一例であるパルスオキシメータの構成を示す正面図である。
【図２】図１の矢印Ａの方向から見た側面図である。
【図３】パルスオキシメータの電気的な構成を示すブロック図である。
【図４】ヘモグロビン及び酸化ヘモグロビンの吸光特性を示すグラフである。
【図５】生体による光の吸収を示す図である。
【図６】生体に入射する入射光と透過光との関係を模式的に表す図である。
【図７】赤外光による透過光量の正規化を説明するための図である。
【図８】吸光係数の比と酸素飽和度との関係を示す図である。
【図９】パルスオキシメータの使用状況に応じた動作を示すフローチャートである。
【図１０】パルスオキシメータの第２の実施形態の構成を示す一部破断した内部構成図である。
【図１１】図１０における矢印Ｂの方向からみた側面図である。
【図１２】ロック機構によるロック状態が解除されたときの図である。
【図１３】指にパルスオキシメータを装着したときの各部材の動作を示す図である。
【図１４】パルスオキシメータの一変形形態を示す図である。
【図１５】図１４に示すパルスオキシメータをＰＣに接続した状態を示す図である。
【図１６】パルスオキシメータの一変形形態を示す図である。
【図１７】図１６に示すパルスオキシメータの断面図である。
【図１８】従来の測定システムの構成を示す図である。
【符号の説明】
【０１２５】
１，１’，１００    パルスオキシメータ
２，２’，１０１    筺体
３，１０２，２０４    カバー
４，４’，１０３，２０３    ＵＳＢ接続端子
６，１１８，２０５    投光部
７，１１９，２０６    受光部
３ｃ，１２０  嵌合孔
８    電源部
９    電源供給用接続部
１３  制御部
１４  測定制御部
１５  酸素飽和度演算部
１６  転送処理部
１７  表示制御部
１８  記憶部
１９  ＵＳＢ接続部
１０６，１０７  第１、第２回動部材
２０１  基部
２０２  指挿入部
Ｈ    間隙
【図１】
2007117641.tif 000006
【図２】
2007117641.tif 000007
【図３】
2007117641.tif 000008
【図４】
2007117641.tif 000009
【図５】
2007117641.tif 000010
【図６】
2007117641.tif 000011
【図７】
2007117641.tif 000012
【図８】
2007117641.tif 000013
【図９】
2007117641.tif 000014
【図１０】
2007117641.tif 000015
【図１１】
2007117641.tif 000016
【図１２】
2007117641.tif 000017
【図１３】
2007117641.tif 000018
【図１４】
2007117641.tif 000019
【図１５】
2007117641.tif 000020
【図１６】
2007117641.tif 000021
【図１７】
2007117641.tif 000022
【図１８】
2007117641.tif 000023